(57)【要約】【課題】消費電力を抑制しつつ照明エリアに所要の明るさと演色性を与えるアンビエント照明ができる照明装置を提供する。【解決手段】照明装置２は、天井面３に光を照射する天井照射用ＬＥＤモジュール１１と、このＬＥＤモジュールより下側に光を照射する下方照射用ＬＥＤモジュール２１とを具備する。天井照射用ＬＥＤモジュール１１の発光効率を下方照射用ＬＥＤモジュール２１の発光効率より高くする。下方照射用ＬＥＤモジュール２１の平均演色評価数を天井照射用ＬＥＤモジュール１１の平均演色評価数を大きくしたことを特徴としている。【選択図】      図１
2008077979.tif 000002
【特許請求の範囲】
【請求項１】
天井面に光を照射する天井照射用ＬＥＤモジュールと；このＬＥＤモジュールより下側に光を照射する下方照射用ＬＥＤモジュールとを具備し、
前記天井照射用ＬＥＤモジュールの発光効率を前記下方照射用ＬＥＤモジュールの発光効率より高くするとともに、前記下方照射用ＬＥＤモジュールの平均演色評価数を前記天井照射用ＬＥＤモジュールの平均演色評価数より大きくしたことを特徴とする照明装置。
【請求項２】
前記天井照射用ＬＥＤモジュールの発光効率を１００ｌｍ／Ｗ以上とするとともに、前記下方照射用ＬＥＤモジュールの平均演色評価数を８０以上１００未満としたことを特徴とする請求項１に記載の照明装置。
【発明の詳細な説明】
【技術分野】
【０００１】
本発明は、ＬＥＤ（発光ダイオード）を発光源としてアンビエント照明をする照明装置に関する。
【背景技術】
【０００２】
従来、天井を照らしつつ下方にも光を照射するアンビエント照明をする照明装置として、天井面から離間して取付けられる装置本体に、上方に向けて開放する上側光照射口と、下方に向けて開放する下側光照射口を設けるとともに、これらの開口に向けて光を照射する光源を内装した照明装置が知られている（例えば、特許文献１参照。）。
【０００３】
この照明装置では、光源として、直管型蛍光ランプを一本用いることができるとともに、上下に並べられた二本の直管型蛍光ランプを用いることができる。そして、二本の直管型蛍光ランプを用いる場合には、上側の直管型蛍光ランプからの下向きの光を上側光照射口へ向けて反射する第１反射板が組み合わされるとともに、下側の直管型蛍光ランプからの上向きの光を下側光照射口へ向けて反射する第２反射板が組み合わされている。
【特許文献１】特開２００３−２１７３３５号公報（段落0012−0019、0033−0035、図１−図４、図１５−図１６）
【発明の開示】
【発明が解決しようとする課題】
【０００４】
特許文献１には、そのアンビエント照明によって照明エリアに所要の明るさと演色性を確保する技術について教示した記載がない。
【０００５】
照明エリアに所要の明るさと演色性を確保するという観点からすれば、特許文献１に記載の照明装置において、光源をなす一本の直管型蛍光ランプに発光効率及び演色性に優れるものを採用すること、或いは、上下二本の直管型蛍光ランプの内の上側の直管型蛍光ランプに発光効率が高いものを採用するとともに、下側の直管型蛍光ランプに演色性に優れるものを採用することによって、オフィス等の照明エリアに十分な明るさを与えつつ、照明装置より下方に配置される机上等の作業面を必要十分な演色性をもった光で照明することが可能となる。
【０００６】
しかし、光源が直管型蛍光ランプである照明装置の厚みは大きく、しかも、この厚みは直管型蛍光ランプを二本使用するものではより大きくなる。これとともに、照明装置を天井面に近づけて配置するほど、この照明装置の上側光照射口に対向する天井面部分の輝度が極端に高くなる一方で、この天井面部分以外は暗くなるので、天井面の暗さ乃至はそれからの反射光による照明エリアの暗さを改善するには好ましくない。そのため、照明装置を、天井面からかなり離して吊り下げ配置することを余儀なくされるが、これでは厚みが大きい照明装置による異物感を、特に天井が低いことが多いオフィス等の照明エリアに対して大きく与えてしまう不都合がある。
【０００７】
そのため、本発明者は、近時、照明光源として活発に研究されているＬＥＤを光源として使用することにより、装置の薄型化を実現しつつ天井面に吊り下げ設置されてアンビエント照明をする照明装置を試作した。この照明装置は、白色の光を発光するＬＥＤモジュールを上向き配置にして天井を照明できるとともに、同じ白色光を発する他のＬＥＤモジュールを下向きにして下方空間を照明できる。しかし、以下の改善すべき課題があることが分かった。
【０００８】
白色の光を発光するＬＥＤモジュールの中で、現状で最も発光効率が高いものは、青色の光を吸収して黄色の光を放射する蛍光体(蛍光物質)と、青色の光を発光する青色ＬＥＤとを組み合わせたものが主流であるが、この種のＬＥＤモジュールは赤色の成分が少ないので、演色性が良くないことが知られている。このようなＬＥＤモジュールで天井面と下方空間を照明するＬＥＤ照明装置は、下方空間での演色性が低下し、演色性を評価する平均演色評価数(Ｒａ)が、オフィス等で一般的に必要とされている最低平均演色評価数である８０を下回ってしまう。
【０００９】
照明光に照らされた物体の色の見え方を決定する演色性を改善するのに、前記黄色の光を放射する蛍光体と青色ＬＥＤとの組み合わせに、青色の光を吸収して赤色の光を放射する蛍光体(蛍光物質)を加える技術が知られている。しかし、このＬＥＤモジュールでは演色性の向上とトレードオフの関係にある発光効率が低下してしまう。例えば前記黄色の光を放射する蛍光体と青色ＬＥＤとを組み合わせたＬＥＤモジュールでの発光効率が１００ｌｍ／Ｗであるとすると、それに赤色の光を放射する蛍光体を加えたＬＥＤモジュールでの発光効率は略７０ｌｍ／Ｗとなる。このようなＬＥＤモジュールを用いて天井面と下方空間を照明すると、オフィス等の照明エリアでの演色性は向上できるがこの逆に明るさが低下してしまう。
【００１０】
ＬＥＤを使用する長所は、照明装置のコンパクト化に貢献できるだけではなく、消費電力が蛍光ランプ等の他の光源に比較して遥かに少ないことであるとされている。ところで、ＬＥＤモジュールの発光効率を簡便に改善するには、ＬＥＤに与える電力を増加することで対応できる。そのため、赤色の光を放射する蛍光体を加えて演色性を向上させたＬＥＤモジュールに対する投入電力を、例えば発光効率の低下分に応じた割合で増やすことで、所要とする演色性を得つつ発光効率を補うことができる。
【００１１】
したがって、このようなＬＥＤモジュールを光源部として用いた照明装置は、照明エリアに所要の明るさを確保できるとともに、照明エリア内の作業面に対する所要の演色性を得ることができる。しかし、既述のようにＬＥＤモジュールへの投入電力を増やさなければならないので、ＬＥＤを用いることの長所を十分に生かすことができない。
【００１２】
本発明の目的は、消費電力を抑制しつつ照明エリアに所要の明るさと演色性を与えるアンビエント照明ができる照明装置を提供することにある。
【課題を解決するための手段】
【００１３】
請求項１の発明は、天井面に光を照射する天井照射用ＬＥＤモジュールと；このＬＥＤモジュールより下側に光を照射する下方照射用ＬＥＤモジュールとを具備し、前記天井照射用ＬＥＤモジュールの発光効率を前記下方照射用ＬＥＤモジュールの発光効率より高くするとともに、前記下方照射用ＬＥＤモジュールの平均演色評価数を前記天井照射用ＬＥＤモジュールの平均演色評価数より大きくしたことを特徴としている。この発明の実施においては、請求項２の発明のように、前記天井照射用ＬＥＤモジュールの発光効率を１００ｌｍ／Ｗ以上とするとともに、前記下方照射用ＬＥＤモジュールの平均演色評価数を８０以上１００未満とすることが好ましい。
【００１４】
請求項１の発明の照明器具は、例えば照明エリアに滞在する人の頭上に配置されるものであって、天井面に支柱や索状体等の吊り下げ部材を介して吊り下げ設置して、或いは天井面に直付け設置する等の設置状態で使用される。請求項１の発明で、天井照射用ＬＥＤモジュールは、それが出射される光の全部又は殆どを天井面に与えるものが好ましいが、一部の光は天井面以外の方向に出射されてもよい。請求項１の発明で、下方照射用ＬＥＤモジュールは、この発明の照明装置より下方のエリアを照射するものである。
【００１５】
請求項１の発明で、天井照射用及び下方照射用のＬＥＤモジュールには白色の光を出射するものを好適に使用できる。白色の光を出射するＬＥＤモジュールとしては次のものを例示できる。赤色の光を発する赤色ＬＥＤと、青色の光を発する青色ＬＥＤと、黄色の光を発する黄色ＬＥＤとを組み合わせて、それらの発光色を混ぜることによって白色の光を出射するＬＥＤモジュール。紫外線を吸収して赤色の光を発する蛍光体、紫外線を吸収して青色の光を発する蛍光体、及び紫外線を吸収して黄色の光を発する蛍光体が混ざった発光層と、紫外線を発するＬＥＤとを組み合わせて、各蛍光体の発光色を混ぜることによって白色の光を出射するＬＥＤモジュール。青色の光を吸収して黄色の光を放射する蛍光体を含んだ発光層と、青色の光を発光する青色ＬＥＤとを組み合わせて、黄色の光と青色の光を混ぜることによって白色の光を出射するＬＥＤモジュール。
【００１６】
又、請求項１の発明で、下方照射用ＬＥＤモジュールの平均演色評価数（Ｒｅ）を大きくするには、例えば、発光層を備えたＬＥＤモジュールにあっては、この発光層に含まれて、それに入射した光又は紫外線を吸収して赤色の光を発光する蛍光体の含有量を所望する平均演色評価数が得られるように増加させること、又は、白色の光を出射するＬＥＤモジュールに赤色の光を発する赤色ＬＥＤを、所望する平均演色評価数が得られるように追加することによって実現できる。
【００１７】
又、請求項１の発明で、天井照射用及び下方照射用のＬＥＤモジュールに対して、それから出射された光を制御して所要の方向に配光するレンズや反射鏡などの配光制御部材を付加することは好ましいが、必須ではない。
【００１８】
請求項１に係る発明の照明装置は、その下方照射用ＬＥＤモジュールが下方に光を出射し、天井照射用ＬＥＤモジュールが天井面に向けて光を出射して、アンビエント照明をする。この照明において、照明装置が設置された照明エリアとの関係では、照明装置の下方エリアは演色性が重視されるが、天井側についての演色性はあまり必要ではない。
【００１９】
そして、照明装置の下方照射用ＬＥＤモジュールから出射された光は、平均演色評価数が大きいので、この光によって演色性が重視される照明装置の下方エリアを照明する光に所要の演色性を与えることができる。一方で、演色性が重視されない天井側については、発光効率が高い天井照射用ＬＥＤモジュールから出射された光で照明されるから、天井面だけではなく照明エリア全体に所要の明るさを与えることができる。このような照明により、演色性を得るために発光効率が良くない下方照射用ＬＥＤモジュールに対する投入電力を増やさなくても、天井照射用ＬＥＤモジュールでの高発光効率により照明エリアの明るさの低下を抑制できる。又、天井照射用ＬＥＤモジュールには、もともと発光効率が高いものが採用されているので、この天井照射用ＬＥＤモジュール対する投入電力は増やす必要がない。したがって、請求項１の発明の照明装置は、消費電力を抑制しつつ照明エリアに所要の明るさと演色性を与える
【発明の効果】
【００２０】
請求項１，２に係る発明の照明装置によれば、消費電力を抑制しつつ照明エリアに所要の明るさと演色性を与えるアンビエント照明ができる。
【発明を実施するための最良の形態】
【００２１】
図１〜図３を参照して本発明の一実施形態を説明する。
【００２２】
図１中符号１は例えばオフィス等においてアンビエント照明を担う吊り下げ型の照明器具を示している。この照明器具１は本実施形態に係る照明装置２を発光部として備えている。照明装置２は、天井面３に支柱等の吊り下げ部材４を複数用いて吊り下げ設置されている。
【００２３】
照明器具１は平板状の光拡散部材５を備え、この光拡散部材５は、照明装置２に対向してこの照明装置２の後述する下方照射モジュール２１を下方から覆って設けられている。この光拡散部材５は、必須のものではないが、例えば、４００ｎｍ〜４８０ｎｍの青色の光の透過率と、５４０ｎｍ〜６５０ｎｍの黄色の光の透過率との差が１０％以内であって、可視光の透過率が９０％以上１００％未満の光拡散性能を有するものを好適に使用できる。こうした光拡散部材５を用いることにより青色の一次光と黄色の二次光とを光拡散部材５で更に混合させて、光拡散部材５に色むらが抑制された白色を与えることができる。
【００２４】
更に、光拡散部材５は、照明装置２の後述する下方照射モジュール２１が有した反射層２３との間の距離Ｌを５ｍｍ以上１５ｍｍ以下として配置することが望ましい。これにより、下方照射モジュール２１が有する複数のＬＥＤ２５の一つ一つが独立した点状光源として「つぶつぶ」に視認される視覚的印象を認識し難くできる。
【００２５】
照明装置２は、断熱材などからなる装置基板１０を挟んで上下背合わせ状態に組み合わされた１個以上例えば複数の天井照射用ＬＥＤモジュール(以下、天井照射モジュールと略称する。)１１、及び１個以上例えば複数の下方照射用ＬＥＤモジュール(以下、下方照射モジュールと略称する。)２１を備えている。
【００２６】
吊り下げ部材４と連結して天井面３に吊り下げられる装置基板１０の上面に固定された天井照射モジュール１１は、以下説明するものには制約されないが、本実施形態では、図２に示すようにモジュール基板１２と、反射層１３と、回路パターン１４と、複数のＬＥＤ１５と、リフレクタ１６と、封止部材１７とを備えている。
【００２７】
モジュール基板１２は、金属又は合成樹脂の平板からなり、装置基板１０の上面に面接触して配置されている。反射層１３は、白色の絶縁材で作られていて、モジュール基板１２の上面全体に積層されている。この反射層１３はシート状の接着材料からなるプリプレグ（pre-preg）で形成されている。回路パターン１４は、反射層１３のモジュール基板１２に接着されていない面に接着されて、所定間隔ごとに複数設けられている。各ＬＥＤ１５は、回路パターン１４と交互に配置されていて、透光性の接着剤１８を用いて反射層１３に接着されている。これら回路パターン１４と各ＬＥＤ１５とはボンディングワイヤ１９で接続されている。リフレクタ１６は、白色の材料で枠形状に成形されていて、その内側に回路パターン１４及びＬＥＤ１５等を収容して反射層１３に接着固定されている。封止部材１７は、透光性の合成樹脂等からなり、回路パターン１４及びＬＥＤ１５等を埋めてリフレクタ１６の内側に注入して固化されている。
【００２８】
各ＬＥＤ１５は回路パターン１４及びボンディングワイヤ１９を介して直列に接続されている。回路パターン１４の一部はリフレクタ１６の外部に引き出されていて、そこに図示しない給電線が接続されている。
【００２９】
各ＬＥＤ１５は、透光性を有するサファイア製の素子基板１５ａの一面に半導体発光層１５ｂを積層して形成され、その素子基板１５ａの他面が反射層１３に接着されている。半導体発光層１５ｂは、素子基板１５ａ上に、バッファ層、ｎ型半導体層、発光層、ｐ型クラッド層、ｐ型半導体層を順次積層して形成されている。発光層は、バリア層とウエル層を交互に積層した量子井戸構造をなして青色の光を発する。ｎ型半導体層とｐ型半導体層はボンディングワイヤ１９が接続される電極を有している。この半導体発光層１５ｂは厚み方向(上下方向)の双方に青色の光を放射できる。
【００３０】
封止部材１７には図示しないが蛍光体(蛍光物質)が好ましい例として略均一に分散した状態に混入されている。蛍光体には、ＬＥＤ１５から発光された青色の一次光を波長変換して異なる波長の二次光として黄色の光を放射する蛍光体が用いられている。この蛍光体と青色を発するＬＥＤ１５との組み合わせにより、半導体発光層１５ｂから放出された青色の光の一部が蛍光体に当たることなく封止部材１７を透過する一方で、半導体発光層１５ｂから放出された青色の光が当たった蛍光体が、青色の光を吸収して黄色の光を発光して、この黄色の光が封止部材１７を透過するので、これら補色関係にある二色の混合によって白色光が形成されて、天井照射モジュール１１からの白色光の上向き出射を実現できる。
【００３１】
又、装置基板１０の下面に固定された下方照射モジュール２１も、以下説明するものには制約されない。下方照射モジュール２１が発する光の演色性は、天井照射モジュール１１が発する光の演色性よりも良くしてある。図３を用いて下方照射モジュール２１の構成を以下説明する。この下方照射モジュール２１は、モジュール基板２２と、反射層２３と、回路パターン２４と、複数のＬＥＤ２５と、リフレクタ２６と、封止部材２７とを備えている。
【００３２】
モジュール基板２２は、金属又は合成樹脂の平板からなり、装置基板１０の下面に接触して配置されている。反射層２３は、白色の絶縁材で作られていて、モジュール基板２２の下面全体に積層されている。この反射層２３はシート状の接着材料からなるプリプレグ（pre-preg）で形成されている。回路パターン２４は、反射層２３のモジュール基板２２に接着されていない面に接着されて、所定間隔ごとに複数設けられている。各ＬＥＤ２５は、回路パターン２４と交互に配置されていて、透光性の接着剤２８を用いて反射層２３に接着されている。これら回路パターン２４と各ＬＥＤ２５とはボンディングワイヤ２９で接続されている。リフレクタ２６は、白色の材料で枠形状に成形されていて、その内側に回路パターン２４及びＬＥＤ２５等を収容して反射層２３に接着固定されている。封止部材２７は、透光性の合成樹脂等からなり、回路パターン２４及びＬＥＤ２５等を埋めてリフレクタ２６の内側に注入して固化されている。
【００３３】
各ＬＥＤ２５は回路パターン２４及びボンディングワイヤ２９を介して直列に接続されている。回路パターン２４の一部はリフレクタ２６の外部に引き出されていて、そこに図示しない給電線が接続されている。
【００３４】
各ＬＥＤ２５は、透光性を有するサファイア製の素子基板２５ａの一面に半導体発光層２５ｂを積層して形成され、その素子基板２５ａの他面が反射層２３に接着されている。半導体発光層２５ｂは、素子基板２５ａ上に、バッファ層、ｎ型半導体層、発光層、ｐ型クラッド層、ｐ型半導体層を順次積層して形成されている。発光層は、バリア層とウエル層を交互に積層した量子井戸構造をなして青色の光を発する。ｎ型半導体層とｐ型半導体層はボンディングワイヤ２９が接続される電極を有している。この半導体発光層２５ｂは厚み方向(上下方向)の双方に青色の光を放射できる。
【００３５】
封止部材２７には図示しないが蛍光体(蛍光物質)が好ましい例として略均一に分散した状態に混入されている。蛍光体には、ＬＥＤ２５から発光された青色の一次光を波長変換して異なる波長の二次光として黄色の光を放射する蛍光体と、ＬＥＤ２５から発光された青色の一次光を波長変換して赤色の光を放射する蛍光体とが用いられている。黄色の光を発する蛍光体と青色を発するＬＥＤ２５との組み合わせにより、半導体発光層２５ｂから放出された青色の光の一部が蛍光体に当たることなく封止部材２７を透過する一方で、半導体発光層２５ｂから放出された青色の光が当たった蛍光体が、青色の光を吸収して黄色の光を発光し、この黄色の光が封止部材２７を透過するので、これら補色関係にある二色の混合によって白色光が形成されて、下方照射モジュール２１からの白色光の下向き出射を実現できる。
【００３６】
そして、以上のように赤色の光を放射する蛍光体を封止部材２７に加えたことによって、赤色の波長範囲での発光の量が増えるので、それにより、演色性が高められた白色光を、下方照射モジュール２１から下向きに出射できる。
【００３７】
光の演色性は平均演色評価数Ｒａを求めることで評価できる。前記赤色の光を放射する蛍光体は、下方照射モジュール２１が発する光の平均演色評価数Ｒａが８０以上１００未満、好ましくは９０以上１００未満となるように調整されている。
【００３８】
これにより、下方照射モジュール２１の平均演色評価数が天井照射モジュール１１の平均演色評価数より大きく設定されている。言い換えれば、下方照射モジュール２１が発する光の演色性を高めたことにより、天井照射モジュール１１が発する光の演色性は下方照射モジュール２１より相対的に低くなっている。
【００３９】
封止部材２７への前記赤色の光を放射する蛍光体の混入により下方照射モジュール２１の発光効率は低下する。言い換えれば、天井照射モジュール１１のＬＥＤ１５と、下方照射モジュール２１のＬＥＤ２５の発光能力が同じであっても、相対的には、天井照射モジュール１１の発光効率の方が下方照射モジュール２１の発光効率より高くなっている。これに代えて、天井照射モジュール１１のＬＥＤ１５の発光能力を、意図的に下方照射モジュール２１のＬＥＤ２５の発光能力より高くすることもできる。この場合には、天井照射モジュール１１の発光効率が下方照射モジュール２１の発光効率よりなお更高いことは勿論である。
【００４０】
前記構成の照明装置２は、その発光要素としてＬＥＤ１５，２５を用いたので、これらを有した天井照射モジュール１１と下方照射モジュール２１とが上下に重なるように組み合わされているにも拘わらず、光源部に蛍光ランプを用いた場合に比較して照明装置２全体の厚みが薄く、照明器具１を薄型にできる。それにより、天井面３に対する照明器具１の吊り下げ高さを短くできる。しかも、天井面３と略並行に配置される装置基板１０上に複数の天井照射モジュール１１が間隔的に配置されていて、蛍光ランプを用いた場合よりも発光部として機能する複数の天井照射モジュール１１の配設エリアが広い。そのため、天井面３での照明器具１の真上部分とその周囲部分との間での輝度の違いがさほど際立つことが低減され、この点で、照明装置２を天井面３からかなり離して吊り下げ配置しなければならないという制約が低減されるに伴い、吊り下げ高さを短くできる。したがって、天井が低いオフィス環境に使用される場合であっても、天井部での照明器具１による異物感を低減できる。
【００４１】
照明装置２が点灯されることにより、下方照射モジュール２１が下方に光を出射し、天井照射モジュール１１が天井面３に向けて光を出射するアンビエント照明が行われる。
【００４２】
この照明において、照明装置２の下方照射モジュール２１から出射された光は、平均演色評価数が大きい。机上面などの作業面を含む照明装置２の下方のエリアは演色性が重視されるので、各下方照射モジュール２１からの光によって前記下方エリアを照明する光に所要の演色性を与えることができる。
【００４３】
一方で、天井側は机上面などの作業面を含まないので、天井側を照らす光の演色性はあまり必要ではない。そして、演色性を得るために発光効率を低下させる蛍光体を含まないで構成された各天井照射モジュール１１の発光効率は高いから、これら天井照射モジュール１１から上向きに出射された高発光効率の光で天井面３を照らすので、天井面３が明るく照明されるに伴い照明エリア全体の明るさの低下が改善されて、照明エリア全体に所要の明るさを与えることができる。
【００４４】
以上のように照明器具１の発光部をなした照明装置２は、その下方照射モジュール２１に演色性重視の照明の役割を分担させるとともに、発光効率が高い天井照射ＬＥＤモジュール１１に天井面３で光を反射させて明るさを重視した照明の役割を分担させている。
【００４５】
このため、演色性を得るために発光効率が良くない下方照射モジュール２１に対する投入電力を増やさなくても、高発光効率の天井照射モジュール１１により照明エリアの明るさの低下を抑制できる。そして、演色性がよくない光を発する天井照射モジュール１１は、もともと高い発光効率を確保しているものであるから、この天井照射モジュール１１に対する投入電力を増やす必要がなく、仮に投入電力を増やす必要があるとしてもその増加の程度を低く抑制できる。同様に、照明環境の都合で下方照射モジュール２１への投入電力を増やして演色性をより高める必要がある場合でも、下方照射モジュール２１に対して投入する電力の増加の程度を低く抑制できる。したがって、消費電力を抑制しつつ照明エリアに所要の明るさと演色性を与えることができる。
【００４６】
図４は本発明の他の実施形態を示している。この他の実施形態は以下説明する事項以外は一実施形態と同じであるので、一実施形態と同じ構成については同じ符号を付して説明を省略する。
【００４７】
他の実施形態は、天井直付け型の照明器具として使用される照明装置２である。そのために、装置基板１０はその上面を天井面３に面接触させて天井面３にねじ止め等により直付け設置されている。これとともに、装置基板１０はその周部に基板枠１０ａを有している。この基板枠１０ａは例えば四角形をなしているとともに装置基板１０の下面より下方に突出されている。そして、基板枠１０ａの４つの外周側面の夫々に天井照射モジュール（天井照射用ＬＥＤモジュール）１１が取付けられている。これら天井照射モジュール１１は、それから発する光が下方に指向しないように制限し専ら上向き及び側方へ光を照射するようになっている。以上説明した事項以外は前記一実施形態と同じである。
【００４８】
この他の実施形態に係る照明装置２が点灯されることにより、下方照射モジュール（下方照射用ＬＥＤモジュール）２１が下方に演色性が高い光を出射し、天井照射ＬＥＤ（天井照射用ＬＥＤモジュール）モジュール１１が天井面３に向けて演色性が低い光を高効率で出射して、アンビエント照明を行うことができる。したがって、他の実施形態に係る照明装置２においても、一実施形態と同様の作用を得ることができる。簡単に述べれば、下方照射モジュール２１に演色性重視の照明の役割を分担させるとともに、発光効率が高い天井照射モジュール１１に天井面３で光を反射させて明るさを重視した照明の役割を分担させたので、消費電力を抑制しつつ照明エリアに所要の明るさと演色性を与えることができる。
【図面の簡単な説明】
【００４９】
【図１】本発明の一実施形態に係る照明装置を備えた照明器具を一部断面して概略的に示す側面図。
【図２】図１の照明装置が備える天井照射用ＬＥＤモジュールの一部を拡大して示す断面図。
【図３】図１の照明装置が備える下方照射用ＬＥＤモジュールの一部を拡大して示す断面図。
【図４】本発明の他の一実施形態に係る照明装置を概略的に示す側面図。
【符号の説明】
【００５０】
１…照明器具、２…照明装置、３…天井面、１０…装置基板、１１…天井照射モジュール（天井照射用ＬＥＤモジュール）、１５…ＬＥＤ、２１…下方照射モジュール（下方照射用ＬＥＤモジュール）、２５…ＬＥＤ
【図１】
2008077979.tif 000003
【図２】
2008077979.tif 000004
【図３】
2008077979.tif 000005
【図４】
2008077979.tif 000006